(57)【要約】【課題】全体を交換しなくても機能を変更することができる情報通信装置を提供する。【解決手段】情報通信装置Ａは、電源回路および情報の授受を行う情報口を具備し壁Ｗ内に後部を収める形で壁Ｗに固定される本体モジュールＭと、本体モジュールＭの前面側に着脱可能に装着され、電源回路から電力供給を受ける情報入力手段および情報出力手段を具備する露出パネルＰとを備える。露出パネルＰは、本体モジュールＭに設けた鉤片２３および各係止孔２４にそれぞれ係合することにより本体モジュールＭに支持される主支持部と、本体モジュールＭの周囲に配置され、本体モジュールＭが固定されている壁Ｗに設けた壁側支持部材１３に結合することで前記壁Ｗに直接支持される補助支持部５とを有する。【選択図】図１
2009200737.tif 000002
【特許請求の範囲】
【請求項１】
電源回路および情報の授受を行う情報口を具備し壁に固定される本体モジュールと、本体モジュールの前面側に着脱可能に覆着され、前記電源回路から電力供給を受ける情報入力手段および情報出力手段の少なくとも一方を具備する露出パネルとを備え、露出パネルは、本体モジュールに支持される主支持部と、本体モジュールの周囲に配置され、本体モジュールを固定した壁に支持される補助支持部とを有することを特徴とする情報通信装置。
【請求項２】
前記主支持部は、前記本体モジュールの上端部に設けた引掛部に引っ掛かる構造を有し、前記補助支持部は、本体モジュールの下方において本体モジュールを固定した壁に固定される構造を有することを特徴とする請求項１記載の情報通信装置。 
【発明の詳細な説明】
【技術分野】
【０００１】
本発明は、壁に取り付けて使用される情報通信装置に関するものである。
【背景技術】
【０００２】
従来から、この種の情報通信装置には、たとえば宅外に設置された相手側装置としてのドアホン子器に対して信号線を用いて接続されることによりインターホンシステムを構築し、相手側装置との間で通信可能となるもの（インターホン親機）などがある（たとえば特許文献１参照）。特許文献１に例示された情報通信装置は、壁内に器体の後部が埋め込まれた形で取り付けられる。
【０００３】
なお、インターホン親機として用いる情報通信装置には、映像表示部を備え、カメラが設けられた相手側装置に接続されることにより、相手側装置のカメラで撮像された映像を表示することができるものもある。
【特許文献１】特開平６−２９１８１８号公報
【発明の開示】
【発明が解決しようとする課題】
【０００４】
ところで、上述の情報通信装置では、電源回路等の内部回路や映像表示部等の情報出力手段が全て１つの器体に配設されており、そのため、情報通信装置の機能（たとえば映像表示部の画面サイズなど）を一部でも変更する場合には、情報通信装置全体を交換する必要がある。特に、情報通信装置が壁内に器体の後部を埋め込む形で取り付けられている場合には、情報通信装置全体の交換作業は面倒である。
【０００５】
本発明は、上記事由に鑑みてなされたものであって、全体を交換しなくても機能を変更することができる情報通信装置を提供することを目的とする。
【課題を解決するための手段】
【０００６】
請求項１の発明は、電源回路および情報の授受を行う情報口を具備し壁に固定される本体モジュールと、本体モジュールの前面側に着脱可能に覆着され、前記電源回路から電力供給を受ける情報入力手段および情報出力手段の少なくとも一方を具備する露出パネルとを備え、露出パネルが、本体モジュールに支持される主支持部と、本体モジュールの周囲に配置され、本体モジュールを固定した壁に支持される補助支持部とを有することを特徴とする。
【０００７】
この構成によれば、情報通信装置は、電源回路および情報の授受を行う情報口を具備し壁に固定される本体モジュールと、本体モジュールの前面側に着脱可能に覆着され、本体モジュールの電源回路から電力供給を受ける情報入力手段および情報出力手段の少なくとも一方を具備する露出パネルとに分割されているので、露出パネルを本体モジュールとは別に交換可能であり、たとえば本体モジュールを共通としておけば、露出パネルを交換することで情報通信装置の機能を容易に変更することができる。しかも、露出パネルは、本体モジュールに主支持部が支持され、且つ本体モジュールを固定した壁に補助支持部が支持されるので、露出パネルを本体モジュールのみで支持する場合に比べて、露出パネルの支持強度を高めることができる。その結果、たとえば本体モジュールの前面に比べて大型の露出パネルを採用するような場合であっても、露出パネルを確実に支持できるという利点がある。
【０００８】
請求項２の発明は、請求項１の発明において、前記主支持部が、前記本体モジュールの上端部に設けた引掛部に引っ掛かる構造を有し、前記補助支持部が、本体モジュールの下方において本体モジュールを固定した壁に固定される構造を有することを特徴とする。
【０００９】
この構成によれば、本体モジュールの引掛部に主支持部を引っ掛けることにより露出パネルを本体モジュールに仮保持することができるので、露出パネルを装着する作業が簡単になる。
【発明の効果】
【００１０】
本発明は、本体モジュールと露出パネルとに分割されているので、たとえば本体モジュールを共通としておけば、露出パネルを交換することで情報通信装置の機能を容易に変更することができる。しかも、露出パネルは、本体モジュールに主支持部が支持され、且つ本体モジュールを固定した壁に補助支持部が支持されるので、露出パネルの支持強度を高めることができる。
【発明を実施するための最良の形態】
【００１１】
以下の各実施形態では、宅内の壁に取り付けられ、宅外に設置された相手側装置としてのドアホン子器に対して信号線を用いて接続されることによりインターホンシステムを構築し、相手側装置との間で通信（通話）可能となるインターホン親機を情報通信装置の一例として、本発明の情報通信装置の構成を説明する。
【００１２】
この情報通信装置は映像表示部を備えており、来訪者を撮像するカメラ部が設けられた相手側装置に接続されることにより、相手側装置のカメラ部で撮像された映像を表示することができる。なお、相手側装置は、カメラ部の他、操作入力が可能な操作部と、スピーカおよびマイクロフォンを具備し情報通信装置との通話時に音声の入出力を行う音声入出力部と、音声信号や映像信号の入出力を行う信号処理部と、信号線が接続される端子部とを有している。
【００１３】
（実施形態１）
本実施形態の情報通信装置Ａは、図１に示すように、壁Ｗに固定される本体モジュールＭと、本体モジュールＭの前面側に着脱可能に覆着される露出パネルＰとを備えている。露出パネルＰは本体モジュールＭに装着された状態で、コネクタ４ａ，４ｂ（図５参照）によって本体モジュールＭと電気的に接続される。以下では、情報通信装置Ａを壁Ｗに取り付けた状態で正面から見た上下左右を上下左右として説明する。
【００１４】
本体モジュールＭは、前面に矩形状の開口部を有する箱状に形成されたボディ１と、ボディ１の前面に覆着されるカバー２とで構成される器体３を備え、種々の電気部品が実装されている回路基板（図示せず）が器体３内に収納された構成を有する。さらに、本体モジュールＭは、商用電源供給用の電源線が接続される電源端子部６（図２参照）と、信号線が接続される信号端子部７（図２参照）とを器体３の背面側に備えている。ボディ１とカバー２とは、カバー２の上下方向の各端部から後方に突出した結合片（図示せず）に設けた孔に、ボディ１の上下方向の両端面における前端部に設けた結合爪（図示せず）をそれぞれ係合させることにより結合される。
【００１５】
この本体モジュールＭは、壁面からの器体３の突出量を小さく抑え、且つ、一般に普及している埋込型の配線器具との外観上の統一感を出すとともに、取り付けに用いる部材の低コスト化を図るために、壁Ｗ内に設置された埋込型の配線器具用の埋込ボックスＳＢを用いて壁に取り付けられる。埋込ボックスＳＢは、前面開口の箱状に形成されており、壁Ｗにおいて埋込ボックスＳＢに対応する部分には、埋込ボックスＳＢの開口より小さい矩形状であって、埋込ボックスＳＢに設けた取付ねじ用のねじ孔８を全て露出させる大きさの施工孔９が開設される。本体モジュールＭは、この施工孔９を通して前方から埋込ボックスＳＢに取り付けられるのであって、器体３が後部を埋込ボックスＳＢ内に収納可能な形状および寸法に形成されている。
【００１６】
すなわち、本体モジュールＭのカバー２は、上下方向の各端面のそれぞれから互いに離れる向きに延設された一対の取付片１０を連続一体に有する。一対の取付片１０は、カバー２の左右方向の略全長に亘って形成される。各取付片１０には、埋込ボックスＳＢに固定するための取付ねじ（図示せず）を挿通するボックス用孔１１がそれぞれ複数個（ここでは２個）ずつ形成される。詳しくは後述するが、この取付片１０は露出パネルＰを装着するためにも用いられる。なお、本実施形態では、本体モジュールＭの器体３は１連用の取付枠（埋込型の配線器具用に規格化されている単位寸法の配線器具を幅方向に３個並べて取付可能な取付枠）を２個まで取付可能な埋込ボックスＳＢに対応する大きさに形成されている。
【００１７】
露出パネルＰは、本体モジュールＭの前面側を覆うパネルベース１２ａと、パネルベース１２ａの前面側に結合されるパネルカバー１２ｂとで薄箱状に形成されており、パネルベース１２ａとパネルカバー１２ｂとの間に、種々の電気部品が実装されている回路基板（図示せず）等が収納された構成を有する。なお、ここでは、露出パネルＰは、上下方向の寸法と左右方向の寸法とのいずれもが本体モジュールＭより大きく設定されている。
【００１８】
露出パネルＰの前壁（パネルカバー１２ｂ）の一部には透明な表示窓１４が配設されており、露出パネルＰは、液晶パネルからなる映像表示部１５（図２参照）を表示窓１４の後方に備えている。さらに、露出パネルＰの前壁には、後方にスピーカ１８ａ（図２参照）が配設されるスピーカ取付部１６と、操作部１７（図２参照）としてのスイッチ（図示せず）操作用の操作ハンドル１７ａと、後方にマイクロフォン１８ｂ（図２参照）が配設されるマイク用孔（図示せず）とが配設されている。なお、スピーカ１８ａおよびマイクロフォン１８ｂは、図２に示すように相手側装置との通話時に音声の入出力を行う音声入出力部１８を構成する。
【００１９】
ここにおいて、情報通信装置Ａの内部回路は、本体モジュールＭと露出パネルＰとに分割して設けられている。
【００２０】
すなわち、本体モジュールＭは、図２に示すように、電源スイッチ部ＳＷを介して電源端子部６に接続され内部回路に直流電源を供給する電源回路３９（ＡＣ／ＤＣ電源部３９ａおよびＤＣ／ＤＣ電源部３９ｂ）と、情報の授受を行う情報口としての信号端子部７に接続された外部インタフェース部４０とを有している。
【００２１】
一方、露出パネルＰは、図２に示すように、音声入出力部１８や映像表示部１５や操作部１７等、電源回路３９から電力供給を受け情報の入出力を行う手段（情報入力手段および情報出力手段）の他、音声入出力部１８および映像表示部１５と外部インタフェース部４０とに接続され、音声信号や映像信号の入出力を行う信号処理部４２と、操作部１７からの操作入力を受け付けて内部回路の各部の動作を制御する全体制御部４３とを備えている。信号処理部４２は、音声信号を増幅するアンプを含む音声処理部４４と、映像信号を復調する復調回路を含み映像表示部１５に映像を表示する映像伝送処理部４５とを有している。なお、本実施形態では、信号線に音声信号と映像信号とが多重化されて伝送されている。そのため、信号処理部４２には、音声処理部４４および映像伝送処理部４５と外部インタフェース部４０との間に挿入され、多重化された音声信号と映像信号とを分離する多重分離部４２ａが設けられている。
【００２２】
ところで、本体モジュールＭと露出パネルＰとのそれぞれには、互いに係合することで本体モジュールＭに露出パネルＰを装着する取付手段が設けられている。
【００２３】
本体モジュールＭにおいては、図１のように下側の取付片１０の前面から突出した鉤片２３と、上側の取付片１０に設けた係止孔２４とが取付手段として設けられている。鉤片２３は、取付片１０の前面から前方に突出し、先端部が上方に延長されることによりＬ字状に形成されており、左右方向に複数個（ここでは２個）並設されている。係止孔２４は、取付片１０における一方のボックス用孔１１の両側方に、それぞれ矩形状に開口する形で貫設されている。
【００２４】
露出パネルＰにおいては、背面側であって各鉤片２３に対応する位置にそれぞれ形成され、鉤片２３の先端部と取付片１０との間に上方から挿入されることで鉤片２３に引っ掛かる引掛片（図示せず）と、背面側であって各係止孔２４に対応する位置からそれぞれ後方に突出する可動爪（図示せず）とが取付手段として設けられている。可動爪の先端部には、上方に凸となる係止部（図示せず）が設けられており、係止部は可動爪の基端部側ほど可動爪からの突出量が大きくなるように上面が傾斜している。
【００２５】
この構成により、露出パネルＰの引掛片を本体モジュールＭの鉤片２３に引っ掛けた状態で、鉤片２３を支点部として本体モジュールＭの前面の下辺周りで露出パネルＰを回転させるように露出パネルＰの上端部を本体モジュールＭ側に押し付けることにより、露出パネルＰの可動爪を本体モジュールＭの係止孔２４に挿入し、取付片１０の背面側において係止部を係止孔２４の開口周縁に係止させれば、露出パネルＰが本体モジュールＭに装着されることとなる。
【００２６】
ところで、本実施形態では、露出パネルＰは、本体モジュールＭに支持される主支持部として上述したように引掛片および可動爪を有しているが、これに加えて、本体モジュールＭを固定した壁に支持される補助支持部５を有している。すなわち、壁面において本体モジュールＭの周囲であって露出パネルＰの背面と対向する部位の一部には、図１に示すように、露出パネルＰを支持するための壁側支持部材１３が設けられており、露出パネルＰのうち背面側であって当該壁側支持部材１３に対応する位置に設けられた補助支持部５を壁側支持部材１３に支持させることにより、露出パネルＰが壁Ｗに直接支持される。
【００２７】
図１に示す例では、互いに結合可能な一対の面ファスナの一方を壁側支持部材１３として壁Ｗに設け、他方を補助支持部５として露出パネルＰの背面に設けており、壁Ｗに固定された本体モジュールＭに対して露出パネルＰを装着するだけで、補助支持部５が壁側支持部材１３と結合して壁Ｗに支持されるようにしてある。なお、この構成では、補助支持部５と壁側支持部材１３との結合の解除は、露出パネルＰを壁Ｗから離れる向きに移動させることで可能であるから、露出パネルＰを本体モジュールＭから脱着する際には、可動爪と係止孔２４との係合を解除した状態で、鉤片２３を支点部として本体モジュールＭの全面の下辺周りで露出パネルＰを回転させるように露出パネルＰの上端部を壁Ｗから引き剥がすだけで、露出パネルＰの取り外しを行うことができる。
【００２８】
以上説明した本実施形態の構成によれば、情報通信装置Ａは本体モジュールＭと露出パネルＰとに分割されているので、本体モジュールＭを共通の仕様としておくことにより、露出パネルＰのみの交換で情報通信装置Ａの機能を容易に変更することが可能となる。しかも、露出パネルＰは本体モジュールＭに支持される主支持部（引掛片および可動爪）と、壁Ｗに直接支持される補助支持部（ここでは面ファスナ）５とを有するから、本体モジュールＭと壁Ｗとの両方によって露出パネルＰが支持されることとなり、露出パネルＰを本体モジュールＭのみに支持させる構成に比較すると、露出パネルＰの支持強度を向上させることができる。その結果、たとえば映像表示部１５の画面サイズを大きくすることで露出パネルＰ自体が大型化した場合でも、露出パネルＰを確実に支持することができる。
【００２９】
なお、補助支持部５は、本体モジュールＭを固定した壁Ｗに支持されるものであればよいから、上述したような面ファスナに限るものでなく、たとえば露出パネルＰの背面を壁Ｗに接着する両面テープや、壁側支持部材１３として壁Ｗに設けられたフックに係合する孔を有する構造などであってもよい。
【００３０】
また、本実施形態では本体モジュールＭに係止孔２４を形成し露出パネルＰには可動爪を設ける例を示したが、この構成に限るものではなく、係止孔２４に代えて係止爪を本体モジュールＭに設け、可動爪に代えて係止孔を露出パネルＰに設けることにより、係止爪を係止孔に係合させる構成としてもよい。
【００３１】
（実施形態２）
本実施形態の情報通信装置Ａは、図３に示すように露出パネルＰを、本体モジュールＭの上側の取付片１０の前面から突出した引掛部１９に引っ掛けられることで本体モジュールＭに支持され、さらに下部が本体モジュールＭの下方において壁Ｗに固定される構成とした点が実施形態１の情報通信装置Ａと相違する。
【００３２】
すなわち、本体モジュールＭにおいては、鉤片２３および係止孔２４に代えて引掛部１９が取付片１０に設けられている。引掛部１９は、取付片１０の前面から前方に突出し、先端部が上方に延長されることによりＬ字状に形成されており、左右方向に複数個（ここでは２個）並設されている。露出パネルＰにおいては、引掛片および可動爪に代えて本体モジュールＭの引掛部１９に引っ掛けるための引掛穴（図示せず）が、背面側であって各引掛部１９に対応する位置にそれぞれ形成されている。引掛穴は露出パネルＰにおいて本体モジュールＭに支持される主支持部となる部位に形成されているものであって、引掛穴に引掛部１９の先端部を挿入することにより露出パネルＰは本体モジュールＭに支持されることとなる。
【００３３】
また、露出パネルＰの下部における左右方向の中央部に配置された補助支持部５には、固定ねじ２１が挿通される透孔２０が貫設されており、この透孔２０を通して固定ねじ２１を壁Ｗに螺合させることにより露出パネルＰの補助支持部５は壁Ｗに直接支持されることとなる。図３の例では、透孔２０は操作ハンドル１７ａによって覆われる位置に形成されており、固定ねじ２１の締め付け作業は操作ハンドル１７ａを取り外した状態で行われる。なお、図示例では壁Ｗにおける本体モジュールＭの下方に固定ねじ２１が螺合するねじ孔２２を形成してあるが、補助支持部５を壁Ｗに固定する手段はねじ止めに限るものではなく、実施形態１で説明したような面ファスナや両面テープ等を用いてもよい。
【００３４】
以上説明した構成によれば、露出パネルＰを取り付けるに当たっては、図４に矢印ａ１で示すように、壁Ｗに固定された本体モジュールＭの引掛部１９に露出パネルＰの主支持部（引掛穴）を引っ掛けることにより、露出パネルＰを本体モジュールＭに仮保持し、その後、図４に矢印ａ２で示すように露出パネルＰの下端部を壁Ｗ側に押し付け、さらに固定ねじ２１で露出パネルＰの下部（補助支持部５）を壁Ｗに固定するようにすればよい。ここにおいて、固定ねじ２１の締め付けは、露出パネルＰを本体モジュールＭに仮保持させた状態で行うことができるので、作業者が片手で露出パネルＰを保持しながら締め付けを行う場合に比べて、作業が簡単になるという利点がある。
【００３５】
しかも、本実施形態では、本体モジュールＭ側のコネクタ４ａを器体３前面の下部に配置しており、露出パネルＰはコネクタ４ａ，４ｂの結合部位の近傍で固定ねじ２１によって固定されることとなるので、コネクタ４ａ，４ｂ同士の相対的な位置ずれが生じにくく、コネクタ４ａ，４ｂ間の電気的接続の信頼性を高めることができるという利点もある。なお、図４では埋込ボックスＳＢの図示を省略している。
【００３６】
その他の構成および機能は実施形態１と同様である。
【００３７】
ところで、上記各実施形態では、本体モジュールＭを埋込型とした情報通信装置Ａについて説明したが、本体モジュールＭは埋込型に限るものではなく、図５に示すように壁面に背面を対向させる形で壁に固定される露出型の本体モジュールＭを備えた情報通信装置Ａに本発明を適用してもよい。
【００３８】
また、上記各実施形態では、相手側装置との間で通信可能となるインターホン親機としての情報通信装置Ａに本発明を適用する例を示したが、この例に限るものではなく、たとえば太陽光発電の発電量等の情報を監視して表示する装置など、種々の情報通信装置に本発明を適用することができる。
【図面の簡単な説明】
【００３９】
【図１】本発明の実施形態１の構成を示す分解斜視図である。
【図２】同上の構成を示す概略ブロック図である。
【図３】本発明の実施形態２の構成を示す分解斜視図である。
【図４】同上の露出パネルの取り付け方を示す概略断面図である。
【図５】同上の他の構成例を示し、（ａ）は前面側から見た斜視図、（ｂ）は背面側から見た斜視図である。
【符号の説明】
【００４０】
５  補助支持部
３９  電源回路
Ａ  情報通信装置
Ｍ  本体モジュール
Ｐ  露出パネル
Ｗ  壁 
【図１】
2009200737.tif 000003
【図２】
2009200737.tif 000004
【図３】
2009200737.tif 000005
【図４】
2009200737.tif 000006
【図５】
2009200737.tif 000007